(57)【要約】【課題】  運転者の客観的な睡眠時間を従来より容易に取得することができる被点呼運転者用装置を提供する。【解決手段】  点呼執行者によって点呼が行われる運転者によって使用される被点呼運転者用装置は、操作が入力される操作部４１と、運転者の呼気に含まれるアルコールの濃度を測定するアルコール濃度測定部４３と、操作部４１に入力された操作に応じて時間を計測することによって運転者の睡眠時間を測定する睡眠時間測定手段４７ａと、点呼に必要な情報である点呼用情報を、点呼執行者によって使用される点呼執行者用装置に送信する点呼用情報送信手段とを備えており、点呼用情報は、アルコール濃度測定部４３によって測定されたアルコールの濃度と、睡眠時間測定手段４７ａによって測定された睡眠時間とを含んでいることを特徴とする。【選択図】  図５
2014032572.tif 000002
【特許請求の範囲】
【請求項１】
点呼執行者によって点呼が行われる運転者によって使用される被点呼運転者用装置であって、
操作が入力される操作部と、前記運転者の呼気に含まれるアルコールの濃度を測定するアルコール濃度測定部と、前記操作部に入力された操作に応じて時間を計測することによって前記運転者の睡眠時間を測定する睡眠時間測定手段と、前記点呼に必要な情報である点呼用情報を、前記点呼執行者によって使用される点呼執行者用装置に送信する点呼用情報送信手段とを備えており、
前記点呼用情報は、前記アルコール濃度測定部によって測定された前記アルコールの濃度と、前記睡眠時間測定手段によって測定された前記睡眠時間とを含んでいることを特徴とする被点呼運転者用装置。
【請求項２】
現在位置を取得する現在位置取得手段を備えており、
前記睡眠時間測定手段は、前記睡眠時間の測定の最中に、前記現在位置取得手段によって取得された前記現在位置の履歴に基づいて所定の移動があったことを判断した場合、この測定を終了することを特徴とする請求項１に記載の被点呼運転者用装置。
【請求項３】
前記睡眠時間測定手段は、前記睡眠時間の測定の最中に、前記現在位置取得手段によって取得された前記現在位置の履歴に基づいて前記所定の移動があったことを判断した場合、この測定によって得られる前記睡眠時間を無効にすることを特徴とする請求項２に記載の被点呼運転者用装置。
【請求項４】
周囲の音の音量を検出するマイクを備えており、
前記点呼用情報は、前記睡眠時間測定手段による前記睡眠時間の測定の最中に前記マイクによって検出された前記音量を含んでいることを特徴とする請求項１に記載の被点呼運転者用装置。
【請求項５】
周囲の音の音量を検出するマイクと、前記運転者の睡眠の質のレベルを判定する睡眠質判定手段とを備えており、
前記睡眠質判定手段は、前記睡眠時間測定手段による前記睡眠時間の測定の最中に前記マイクによって検出された前記音量と、予め設定されている閾値とに基づいて、前記レベルを判定し、
前記点呼用情報は、前記睡眠質判定手段によって判定された前記レベルを含んでいることを特徴とする請求項１に記載の被点呼運転者用装置。
【請求項６】
前記閾値を設定する閾値設定手段を備えており、
前記閾値設定手段は、前記マイクによって検出された前記音量に基づいて前記閾値を設定することを特徴とする請求項５に記載の被点呼運転者用装置。
【請求項７】
周囲の明るさを検出する照度センサーを備えており、
前記点呼用情報は、前記睡眠時間測定手段による前記睡眠時間の測定の最中に前記照度センサーによって検出された前記明るさを含んでいることを特徴とする請求項１に記載の被点呼運転者用装置。
【請求項８】
周囲の明るさを検出する照度センサーと、前記運転者の睡眠の質のレベルを判定する睡眠質判定手段とを備えており、
前記睡眠質判定手段は、前記睡眠時間測定手段による前記睡眠時間の測定の最中に前記照度センサーによって検出された前記明るさと、予め設定されている閾値とに基づいて、前記レベルを判定し、
前記点呼用情報は、前記睡眠質判定手段によって判定された前記レベルを含んでいることを特徴とする請求項１に記載の被点呼運転者用装置。
【請求項９】
前記閾値を設定する閾値設定手段を備えており、
前記閾値設定手段は、前記照度センサーによって検出された前記明るさに基づいて前記閾値を設定することを特徴とする請求項８に記載の被点呼運転者用装置。
【請求項１０】
前記照度センサーは、カメラと、前記カメラによって撮影された画像に基づいて前記明るさを取得する明るさ取得手段とを備えていることを特徴とする請求項７から請求項９までの何れかに記載の被点呼運転者用装置。
【請求項１１】
振動を検出する振動センサーと、前記睡眠時間測定手段による前記睡眠時間の測定の最中に前記振動センサーによって検出された前記振動に基づいて前記運転者の寝返りの回数を測定する寝返り回数測定手段とを備えており、
前記点呼用情報は、前記寝返り回数測定手段によって測定された前記寝返りの回数を含んでいることを特徴とする請求項１に記載の被点呼運転者用装置。
【請求項１２】
振動を検出する振動センサーと、前記睡眠時間測定手段による前記睡眠時間の測定の最中に前記振動センサーによって検出された前記振動に基づいて前記運転者の寝返りの回数を測定する寝返り回数測定手段と、前記運転者の睡眠の質のレベルを判定する睡眠質判定手段とを備えており、
前記睡眠質判定手段は、前記寝返り回数測定手段によって測定された前記寝返りの回数と、予め設定されている閾値とに基づいて、前記レベルを判定し、
前記点呼用情報は、前記睡眠質判定手段によって判定された前記レベルを含んでいることを特徴とする請求項１に記載の被点呼運転者用装置。
【請求項１３】
前記閾値を設定する閾値設定手段を備えており、
前記閾値設定手段は、前記振動センサーによって検出された前記振動に基づいて測定される前記運転者の前記寝返りの回数に基づいて前記閾値を設定することを特徴とする請求項１２に記載の被点呼運転者用装置。
【請求項１４】
前記寝返り回数測定手段は、前記振動の大きさおよび周期性に基づいて、前記寝返りによる振動と、前記運転者の呼吸による振動とを区別することを特徴とする請求項１１から請求項１３までの何れかに記載の被点呼運転者用装置。
【請求項１５】
振動を検出する振動センサーと、前記睡眠時間測定手段による前記睡眠時間の測定の最中に前記振動センサーによって検出された前記振動に基づいて無振動の状態を検出する無振動状態検出手段とを備えており、
前記点呼用情報は、前記無振動状態検出手段による検出結果を含んでいることを特徴とする請求項１に記載の被点呼運転者用装置。
【請求項１６】
前記無振動状態検出手段による検出結果は、前記無振動の状態が発生した時間を含んでいることを特徴とする請求項１５に記載の被点呼運転者用装置。
【請求項１７】
予め設定された時間になった場合に前記運転者に対する通知を実行する設定時間通知手段を備えており、
前記睡眠時間測定手段は、前記設定時間通知手段による動作を開始するための操作が前記操作部に入力された場合に前記睡眠時間の測定を開始し、前記設定時間通知手段による動作を終了するための操作が前記操作部に入力された場合に前記睡眠時間の測定を終了することを特徴とする請求項１に記載の被点呼運転者用装置。
【請求項１８】
請求項１から請求項１７までの何れかに記載の被点呼運転者用装置と、前記点呼執行者によって使用される前記点呼執行者用装置とを備えており、
前記点呼執行者用装置は、前記点呼用情報送信手段によって送信されてきた前記点呼用情報を管理することを特徴とする点呼システム。
【発明の詳細な説明】
【技術分野】
【０００１】
本発明は、点呼執行者によって点呼が行われる運転者によって使用される被点呼運転者用装置に関する。
【背景技術】
【０００２】
従来、乗り物を運行する事業者において、運転者による乗り物の運転業務に支障がないか否かを確認し記録に残すために、点呼執行者によって運転者の点呼が実行されている。点呼においては、運転者の睡眠時間などの健康状態が確認される。
【０００３】
従来の被点呼運転者用装置として、トラックに搭載されていてトラックの運転者によって使用される被点呼側装置が知られている（特許文献１参照。）。この被点呼側装置は、操作が入力される操作部と、点呼に必要な情報を、点呼執行者である点呼管理者によって使用される点呼執行者用装置である点呼側装置に送信する通信部とを備えている携帯通信機器と、運転者の呼気に含まれるアルコールの濃度を測定するアルコール濃度測定部であるアルコール測定器とを備えている。この被点呼側装置は、運転者の睡眠時間を運転者の自己申告によって取得する。そして、この被点呼側装置は、アルコール測定器によって測定されたアルコールの濃度と、運転者の自己申告による運転者の睡眠時間とを、点呼に必要な情報として点呼側装置に送信する。
【先行技術文献】
【特許文献】
【０００４】
【特許文献１】特開２０１２−１２３４３３号公報
【発明の概要】
【発明が解決しようとする課題】
【０００５】
しかしながら、従来の被点呼運転者用装置においては、運転者の睡眠時間が運転者の自己申告に基づく情報であるので、点呼に必要な情報のうち運転者の睡眠時間の客観性が低いという問題がある。例えば、睡眠時間が実際には不十分である運転者が、運転者自身の運転業務を点呼執行者に許可してもらうために、運転者自身の睡眠時間が十分であると虚偽の申告を実行する場合が有り得る。
【０００６】
ここで、運転者の睡眠時間を把握する方法としては、運転者の自己申告に基づいた方法以外にも、顔色や声などの運転者の様子に基づいて点呼執行者が運転者の睡眠時間を判断する方法、脳波、心電図などの運転者の生体信号に基づいて点呼執行者が運転者の睡眠時間を判断する方法などがある。
【０００７】
しかしながら、たとえ医療の知識を有していたとしても、顔色や声などの様子に基づいて正確な睡眠時間を判断することは困難である。すなわち、顔色や声などの運転者の様子に基づいて点呼執行者が運転者の睡眠時間を判断する方法は、運転者の正確な睡眠時間を判断することが困難であるという問題がある。
【０００８】
また、脳波、心電図などの生体信号を取得するためには、高額な装置が必要である。更に、脳波、心電図などの生体信号に基づいて睡眠時間を判断するためには、高度な医療の知識が必要である。すなわち、脳波、心電図などの運転者の生体信号に基づいて点呼執行者が運転者の睡眠時間を判断する方法は、高額な装置が必要であるという問題と、点呼執行者が高度な医療の知識を有している必要があるという問題とがある。
【０００９】
そこで、本発明は、運転者の客観的な睡眠時間を従来より容易に取得することができる被点呼運転者用装置を提供することを目的とする。
【課題を解決するための手段】
【００１０】
本発明の被点呼運転者用装置は、点呼執行者によって点呼が行われる運転者によって使用される被点呼運転者用装置であって、操作が入力される操作部と、前記運転者の呼気に含まれるアルコールの濃度を測定するアルコール濃度測定部と、前記操作部に入力された操作に応じて時間を計測することによって前記運転者の睡眠時間を測定する睡眠時間測定手段と、前記点呼に必要な情報である点呼用情報を、前記点呼執行者によって使用される点呼執行者用装置に送信する点呼用情報送信手段とを備えており、前記点呼用情報は、前記アルコール濃度測定部によって測定された前記アルコールの濃度と、前記睡眠時間測定手段によって測定された前記睡眠時間とを含んでいることを特徴とする。
【００１１】
この構成により、本発明の被点呼運転者用装置は、操作部に入力された操作に応じて時間を計測することによって運転者の睡眠時間を測定するので、運転者の客観的な睡眠時間を従来より容易に取得することができる。また、本発明の被点呼運転者用装置は、運転者の呼気に含まれるアルコールの濃度と、運転者の睡眠時間とを点呼用情報として点呼執行者用装置に送信するので、運転者の呼気に含まれるアルコールの濃度のみを点呼用情報として点呼執行者用装置に送信する場合と比較して、運転者による乗り物の運転業務に支障がないか否かを点呼執行者に更に適切に判断させることができる。
【００１２】
また、本発明の被点呼運転者用装置は、現在位置を取得する現在位置取得手段を備えており、前記睡眠時間測定手段は、前記睡眠時間の測定の最中に、前記現在位置取得手段によって取得された前記現在位置の履歴に基づいて所定の移動があったことを判断した場合、この測定を終了しても良い。
【００１３】
この構成により、本発明の被点呼運転者用装置は、所定の移動の状態を、睡眠していない状態として扱うので、運転者の睡眠時間の測定の精度を向上することができる。
【００１４】
また、本発明の被点呼運転者用装置において、前記睡眠時間測定手段は、前記睡眠時間の測定の最中に、前記現在位置取得手段によって取得された前記現在位置の履歴に基づいて前記所定の移動があったことを判断した場合、この測定によって得られる前記睡眠時間を無効にしても良い。
【００１５】
この構成により、本発明の被点呼運転者用装置は、測定によって得られる睡眠時間が無効にされることを防ぐことを希望する運転者に睡眠時間の測定の最中における所定の移動を抑制させることができるので、運転者に睡眠を適切に取らせることができる。
【００１６】
また、本発明の被点呼運転者用装置は、周囲の音の音量を検出するマイクを備えており、前記点呼用情報は、前記睡眠時間測定手段による前記睡眠時間の測定の最中に前記マイクによって検出された前記音量を含んでいても良い。
【００１７】
この構成により、本発明の被点呼運転者用装置は、睡眠中の運転者の周囲の音の音量に基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００１８】
また、本発明の被点呼運転者用装置は、周囲の音の音量を検出するマイクと、前記運転者の睡眠の質のレベルを判定する睡眠質判定手段とを備えており、前記睡眠質判定手段は、前記睡眠時間測定手段による前記睡眠時間の測定の最中に前記マイクによって検出された前記音量と、予め設定されている閾値とに基づいて、前記レベルを判定し、前記点呼用情報は、前記睡眠質判定手段によって判定された前記レベルを含んでいても良い。
【００１９】
この構成により、本発明の被点呼運転者用装置は、睡眠中の運転者の周囲の音の音量に基づいた運転者の睡眠の質をレベルによって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００２０】
また、本発明の被点呼運転者用装置は、前記閾値を設定する閾値設定手段を備えており、前記閾値設定手段は、前記マイクによって検出された前記音量に基づいて前記閾値を設定しても良い。
【００２１】
この構成により、本発明の被点呼運転者用装置は、運転者の実際の睡眠環境に応じた閾値を設定することができるので、運転者の睡眠の質のレベルを適切に判定することができる。
【００２２】
また、本発明の被点呼運転者用装置は、周囲の明るさを検出する照度センサーを備えており、前記点呼用情報は、前記睡眠時間測定手段による前記睡眠時間の測定の最中に前記照度センサーによって検出された前記明るさを含んでいても良い。
【００２３】
この構成により、本発明の被点呼運転者用装置は、睡眠中の運転者の周囲の明るさに基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００２４】
また、本発明の被点呼運転者用装置は、周囲の明るさを検出する照度センサーと、前記運転者の睡眠の質のレベルを判定する睡眠質判定手段とを備えており、前記睡眠質判定手段は、前記睡眠時間測定手段による前記睡眠時間の測定の最中に前記照度センサーによって検出された前記明るさと、予め設定されている閾値とに基づいて、前記レベルを判定し、前記点呼用情報は、前記睡眠質判定手段によって判定された前記レベルを含んでいても良い。
【００２５】
この構成により、本発明の被点呼運転者用装置は、睡眠中の運転者の周囲の明るさに基づいた運転者の睡眠の質をレベルによって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００２６】
また、本発明の被点呼運転者用装置は、前記閾値を設定する閾値設定手段を備えており、前記閾値設定手段は、前記照度センサーによって検出された前記明るさに基づいて前記閾値を設定しても良い。
【００２７】
この構成により、本発明の被点呼運転者用装置は、運転者の実際の睡眠環境に応じた閾値を設定することができるので、運転者の睡眠の質のレベルを適切に判定することができる。
【００２８】
また、本発明の被点呼運転者用装置において、前記照度センサーは、カメラと、前記カメラによって撮影された画像に基づいて前記明るさを取得する明るさ取得手段とを備えていても良い。
【００２９】
この構成により、本発明の被点呼運転者用装置は、カメラを備えていれば、専用の照度センサーを備えていなくても、睡眠中の運転者の周囲の明るさを検出することができる。
【００３０】
また、本発明の被点呼運転者用装置は、振動を検出する振動センサーと、前記睡眠時間測定手段による前記睡眠時間の測定の最中に前記振動センサーによって検出された前記振動に基づいて前記運転者の寝返りの回数を測定する寝返り回数測定手段とを備えており、前記点呼用情報は、前記寝返り回数測定手段によって測定された前記寝返りの回数を含んでいても良い。
【００３１】
この構成により、本発明の被点呼運転者用装置は、睡眠中の運転者の寝返りの回数に基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００３２】
また、本発明の被点呼運転者用装置は、振動を検出する振動センサーと、前記睡眠時間測定手段による前記睡眠時間の測定の最中に前記振動センサーによって検出された前記振動に基づいて前記運転者の寝返りの回数を測定する寝返り回数測定手段と、前記運転者の睡眠の質のレベルを判定する睡眠質判定手段とを備えており、前記睡眠質判定手段は、前記寝返り回数測定手段によって測定された前記寝返りの回数と、予め設定されている閾値とに基づいて、前記レベルを判定し、前記点呼用情報は、前記睡眠質判定手段によって判定された前記レベルを含んでいても良い。
【００３３】
この構成により、本発明の被点呼運転者用装置は、睡眠中の運転者の寝返りの回数に基づいた運転者の睡眠の質をレベルによって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【００３４】
また、本発明の被点呼運転者用装置は、前記閾値を設定する閾値設定手段を備えており、前記閾値設定手段は、前記振動センサーによって検出された前記振動に基づいて測定される前記運転者の前記寝返りの回数に基づいて前記閾値を設定しても良い。
【００３５】
この構成により、本発明の被点呼運転者用装置は、運転者の実際の睡眠環境に応じた閾値を設定することができるので、運転者の睡眠の質のレベルを適切に判定することができる。
【００３６】
また、本発明の被点呼運転者用装置において、前記寝返り回数測定手段は、前記振動の大きさおよび周期性に基づいて、前記寝返りによる振動と、前記運転者の呼吸による振動とを区別しても良い。
【００３７】
この構成により、本発明の被点呼運転者用装置は、運転者の寝返りによる振動と、運転者の呼吸による振動とを区別するので、睡眠中の運転者の寝返りの回数の測定の正確性を向上することができる。
【００３８】
また、本発明の被点呼運転者用装置は、振動を検出する振動センサーと、前記睡眠時間測定手段による前記睡眠時間の測定の最中に前記振動センサーによって検出された前記振動に基づいて無振動の状態を検出する無振動状態検出手段とを備えており、前記点呼用情報は、前記無振動状態検出手段による検出結果を含んでいても良い。
【００３９】
この構成により、本発明の被点呼運転者用装置は、睡眠中に発生するはずの呼吸、寝返りなどによる振動が無い状態の発生を点呼執行者に把握させることができるので、睡眠を偽装した睡眠時間の測定の発生を抑制することができる。
【００４０】
また、本発明の被点呼運転者用装置において、前記無振動状態検出手段による検出結果は、前記無振動の状態が発生した時間を含んでいても良い。
【００４１】
この構成により、本発明の被点呼運転者用装置は、測定された睡眠時間のうち運転者が睡眠していない可能性がある時間を点呼執行者に把握させることができる。
【００４２】
また、本発明の被点呼運転者用装置は、予め設定された時間になった場合に前記運転者に対する通知を実行する設定時間通知手段を備えており、前記睡眠時間測定手段は、前記設定時間通知手段による動作を開始するための操作が前記操作部に入力された場合に前記睡眠時間の測定を開始し、前記設定時間通知手段による動作を終了するための操作が前記操作部に入力された場合に前記睡眠時間の測定を終了しても良い。
【００４３】
この構成により、本発明の被点呼運転者用装置は、設定時間通知手段による目覚まし時計としての機能の開始および終了の操作に応じて運転者の睡眠時間を測定するので、設定時間通知手段による目覚まし時計としての機能の開始および終了の操作と、睡眠時間測定手段による運転者の睡眠時間の測定を実行するための操作とが別々である構成と比較して、利便性を向上することができる。
【００４４】
本発明の点呼システムは、上述の被点呼運転者用装置と、前記点呼執行者によって使用される前記点呼執行者用装置とを備えており、前記点呼執行者用装置は、前記点呼用情報送信手段によって送信されてきた前記点呼用情報を管理することを特徴とする。
【００４５】
この構成により、本発明の点呼システムは、被点呼運転者用装置が操作部に入力された操作に応じて時間を計測することによって運転者の睡眠時間を測定するので、運転者の客観的な睡眠時間を従来より容易に取得することができる。また、本発明の点呼システムは、運転者の呼気に含まれるアルコールの濃度と、運転者の睡眠時間とを点呼用情報として管理するので、運転者の呼気に含まれるアルコールの濃度のみを点呼用情報として管理する場合と比較して、運転者による乗り物の運転業務に支障がないか否かを点呼執行者に更に適切に判断させることができる。
【発明の効果】
【００４６】
本発明の被点呼運転者用装置は、運転者の客観的な睡眠時間を従来より容易に取得することができる。
【図面の簡単な説明】
【００４７】
【図１】本発明の第１の実施の形態に係る点呼システムのブロック図である。
【図２】図１に示す被点呼運転者用装置を携帯する運転者の１日分のスケジュールの一例を示す図である。
【図３】図１に示す点呼執行者用装置のブロック図である。
【図４】図１に示す被点呼運転者用装置のブロック図である。
【図５】図４に示すアルコール測定端末のブロック図である。
【図６】図４に示す携帯端末のブロック図である。
【図７】設定時間通知プログラムが実行される場合の図５に示すアルコール測定端末の動作のフローチャートである。
【図８】睡眠時間測定プログラムが実行される場合の図５に示すアルコール測定端末の動作のフローチャートである。
【図９】点呼用情報送信プログラムが実行される場合の図６に示す携帯端末の動作のフローチャートである。
【図１０】図６に示す携帯端末の表示部に表示される画面の一例を示す図である。
【図１１】本発明の第２の実施の形態に係る点呼システムのアルコール測定端末のブロック図である。
【図１２】本発明の第２の実施の形態に係る点呼システムの携帯端末のブロック図である。
【図１３】本発明の第３の実施の形態に係る点呼システムの携帯端末のブロック図である。
【図１４】睡眠時間測定プログラムが実行される場合の図１３に示す携帯端末の動作のフローチャートである。
【図１５】本発明の第４の実施の形態に係る点呼システムの携帯端末のブロック図である。
【図１６】図１５に示す閾値情報の一例を示す図である。
【図１７】睡眠時間測定プログラムが実行される場合の図１５に示す携帯端末の動作のフローチャートである。
【図１８】図１７に示す睡眠質判定処理のフローチャートである。
【図１９】運転者が睡眠する場合に図１５に示す３軸加速度センサーによって検出される振動の一例を示す図である。
【図２０】寝返りの回数の測定が実行される場合の図１５に示す携帯端末の動作のフローチャートである。
【図２１】周囲の音の音量に対する閾値が設定される場合の図１５に示す携帯端末の動作のフローチャートである。
【図２２】周囲の明るさに対する閾値が設定される場合の図１５に示す携帯端末の動作のフローチャートである。
【図２３】運転者の寝返りの回数に対する閾値が設定される場合の図１５に示す携帯端末の動作のフローチャートである。
【図２４】本発明の第４の実施の形態に係る点呼システムの携帯端末のブロック図であって、図１５に示す例とは異なる例を示す図である。
【発明を実施するための形態】
【００４８】
以下、本発明の実施の形態について、図面を用いて説明する。
【００４９】
（第１の実施の形態）
まず、本実施の形態に係る点呼システム１０の構成について説明する。
【００５０】
図１は、本実施の形態に係る点呼システム１０のブロック図である。
【００５１】
図１に示すように、点呼システム１０は、点呼を行う点呼執行者によって使用される点呼執行者用装置２０と、点呼執行者によって点呼が行われる運転者によって使用される複数の被点呼運転者用装置３０とを備えている。
【００５２】
点呼執行者用装置２０は、点呼執行者が勤務する営業所に設置されている。
【００５３】
被点呼運転者用装置３０は、運転者によって携帯されている。すなわち、複数の運転者は、それぞれ被点呼運転者用装置３０を１つずつ携帯している。
【００５４】
点呼執行者用装置２０と、被点呼運転者用装置３０とは、インターネットなどのネットワーク１１を介して互いに通信可能に接続されている。
【００５５】
なお、運転者は、長距離バス、長距離トラックなどの事業用の車両を運転する者である。例えば、運転者は、点呼執行者が居る営業所から離れた場所に居て、図２に示すスケジュールで生活および業務を実行する者である。
【００５６】
図２は、被点呼運転者用装置３０を携帯する運転者の１日分のスケジュールの一例を示す図である。
【００５７】
図２に示すように、運転者は、乗り物の運転業務、すなわち、乗務に備えて例えば８時間などの十分な睡眠を取る（Ｔ１）。次いで、運転者は、午前の乗務の前の点呼である乗務前点呼を点呼執行者によって受ける（Ｔ２）。運転者は、乗務前点呼が終了すると、午前の乗務を実行する（Ｔ３）。運転者は、午前の乗務を終了すると、午後の乗務に備えて例えば１時間などの仮眠を取る（Ｔ４）。次いで、運転者は、午後の乗務の前の点呼である中間点呼を点呼執行者によって受ける（Ｔ５）。運転者は、中間点呼が終了すると、午後の乗務を実行する（Ｔ６）。
【００５８】
図３は、点呼執行者用装置２０のブロック図である。
【００５９】
図３に示すように、点呼執行者用装置２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、ネットワーク１１（図１参照。）経由で外部の装置と通信を行うネットワーク通信デバイスであるネットワーク通信部２３と、プログラムおよび各種のデータを記憶しているＨＤＤ（Ｈａｒｄ  Ｄｉｓｋ  Ｄｒｉｖｅ）などの記憶デバイスである記憶部２４と、点呼執行者用装置２０全体を制御する制御部２５とを備えている。点呼執行者用装置２０は、例えばＰＣ（Ｐｅｒｓｏｎａｌ  Ｃｏｍｐｕｔｅｒ）などのコンピューターによって構成されている。
【００６０】
記憶部２４は、点呼に必要な情報である点呼用情報２４ａを記憶することができる。点呼用情報２４ａには、運転者の識別情報である乗務員ＩＤ、運転者の呼気に含まれるアルコールの濃度、運転者の呼気に含まれるアルコールの濃度の測定が実行された時刻、運転者の睡眠時間、運転者の睡眠時間の開始時刻、運転者の睡眠時間の終了時刻などの情報が含まれている。
【００６１】
制御部２５は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行するようになっている。
【００６２】
図４は、被点呼運転者用装置３０のブロック図である。
【００６３】
図４に示すように、被点呼運転者用装置３０は、運転者の呼気に含まれるアルコールの濃度を測定する電池駆動型のアルコール測定端末４０と、点呼執行者用装置２０（図１参照。）に点呼用情報を送信する電池駆動型の携帯端末５０とを備えている。
【００６４】
アルコール測定端末４０と、携帯端末５０とは、ケーブル３１を介して互いに通信可能に接続されている。
【００６５】
図５は、アルコール測定端末４０のブロック図である。
【００６６】
図５に示すように、アルコール測定端末４０は、種々の操作が入力されるボタンなどの入力デバイスである操作部４１と、種々の情報を表示するＬＣＤなどの表示デバイスである表示部４２と、運転者の呼気に含まれるアルコールの濃度を測定するアルコール濃度測定部４３と、時間を計測するためのタイマー４４と、ケーブル３１（図４参照。）を介して携帯端末５０（図４参照。）と通信を行う通信デバイスである端末間通信部４５と、プログラムおよび各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部４６と、アルコール測定端末４０全体を制御する制御部４７とを備えている。
【００６７】
記憶部４６は、運転者の睡眠時間を測定するためのプログラムである睡眠時間測定プログラム４６ａと、予め設定された時間になった場合に運転者に対する通知を実行するためのプログラムである設定時間通知プログラム４６ｂとを記憶している。
【００６８】
制御部４７は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部４６に記憶されているプログラムを実行するようになっている。
【００６９】
制御部４７は、記憶部４６に記憶されている睡眠時間測定プログラム４６ａを実行することによって、運転者の睡眠時間を測定する睡眠時間測定手段４７ａとして機能する。
【００７０】
また、制御部４７は、記憶部４６に記憶されている設定時間通知プログラム４６ｂを実行することによって、予め設定された時間になった場合に運転者に対する通知を実行する設定時間通知手段４７ｂとして機能する。
【００７１】
図６は、携帯端末５０のブロック図である。
【００７２】
図６に示すように、携帯端末５０は、種々の操作が入力されるボタンなどの入力デバイスである操作部５１と、種々の情報を表示するＬＣＤなどの表示デバイスである表示部５２と、ケーブル３１（図４参照。）を介してアルコール測定端末４０（図４参照。）と通信を行う通信デバイスである端末間通信部５３と、ネットワーク１１（図１参照。）経由で外部の装置と通信を行うネットワーク通信デバイスであるネットワーク通信部５４と、プログラムおよび各種のデータを記憶しているＥＥＰＲＯＭなどの記憶デバイスである記憶部５５と、携帯端末５０全体を制御する制御部５６とを備えている。携帯端末５０は、例えばスマートフォンなどの携帯電話端末によって構成されている。
【００７３】
ネットワーク通信部５４は、例えば無線によってネットワーク１１に接続することができる。
【００７４】
記憶部５５は、点呼執行者用装置２０（図１参照。）に点呼用情報を送信するためのプログラムである点呼用情報送信プログラム５５ａを記憶している。
【００７５】
制御部５６は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部５５に記憶されているプログラムを実行するようになっている。
【００７６】
制御部５６は、記憶部５５に記憶されている点呼用情報送信プログラム５５ａを実行することによって、点呼執行者用装置２０に点呼用情報を送信する点呼用情報送信手段５６ａとして機能する。
【００７７】
次に、点呼システム１０の動作について説明する。
【００７８】
以下においては、睡眠（Ｔ１）と、その後に実行される乗務前点呼（Ｔ２）とについて説明する。しかしながら、仮眠（Ｔ４）と、その後に実行される中間点呼（Ｔ５）とについても同様である。
【００７９】
運転者は、睡眠を開始する場合、アルコール測定端末４０の操作部４１を介してアルコール測定端末４０に目覚まし時計の機能の開始を指示する。なお、操作部４１には、アルコール測定端末４０に目覚まし時計の機能の開始を指示するための専用のスイッチが含まれていても良い。
【００８０】
アルコール測定端末４０の制御部４７は、目覚まし時計の機能の開始が指示されると、図７に示す処理を開始する。
【００８１】
図７は、設定時間通知プログラム４６ｂが実行される場合のアルコール測定端末４０の動作のフローチャートである。
【００８２】
図７に示すように、アルコール測定端末４０の制御部４７の設定時間通知手段４７ｂは、睡眠時間測定手段４７ａに睡眠時間の測定の開始を指示する（Ｓ６１）。
【００８３】
次いで、設定時間通知手段４７ｂは、操作部４１を介して目覚まし時計の機能の終了が指示されたか否かを判断する（Ｓ６２）。
【００８４】
運転者は、睡眠を終了、すなわち、起床して、アルコール測定端末４０の操作部４１を介してアルコール測定端末４０に目覚まし時計の機能の終了を指示することができる。なお、操作部４１には、アルコール測定端末４０に目覚まし時計の機能の終了を指示するための専用のスイッチが含まれていても良い。このスイッチは、アルコール測定端末４０に目覚まし時計の機能の開始を指示するためのスイッチと同一のスイッチであっても良い。
【００８５】
設定時間通知手段４７ｂは、操作部４１を介して目覚まし時計の機能の終了が指示されていないとＳ６２において判断すると、予め設定された時刻になったか否かを判断する（Ｓ６３）。この時間は、操作部４１を介して運転者によって予め設定されることができる。
【００８６】
設定時間通知手段４７ｂは、予め設定された時刻になったとＳ６３において判断すると、図示していないスピーカーから音を出力するなど、運転者に対する通知の実行を開始する（Ｓ６４）。
【００８７】
設定時間通知手段４７ｂは、予め設定された時刻になっていないとＳ６３において判断するか、Ｓ６４の処理を終了すると、再びＳ６２の処理に戻る。
【００８８】
設定時間通知手段４７ｂは、操作部４１を介して目覚まし時計の機能の終了が指示されたとＳ６２において判断すると、運転者に対する通知を実行中であるか否かを判断する（Ｓ６５）。
【００８９】
設定時間通知手段４７ｂは、運転者に対する通知を実行中であるとＳ６５において判断すると、図示していないスピーカーからの音の出力を終了するなど、運転者に対する通知の実行を終了する（Ｓ６６）。
【００９０】
設定時間通知手段４７ｂは、運転者に対する通知を実行中ではないとＳ６５において判断するか、Ｓ６６の処理を終了すると、睡眠時間測定手段４７ａに睡眠時間の測定の終了を指示して（Ｓ６７）、図７に示す処理を終了する。
【００９１】
アルコール測定端末４０の制御部４７の睡眠時間測定手段４７ａは、Ｓ６１において睡眠時間の測定の開始が指示されると、図８に示す処理を開始する。
【００９２】
図８は、睡眠時間測定プログラム４６ａが実行される場合のアルコール測定端末４０の動作のフローチャートである。
【００９３】
図８に示すように、睡眠時間測定手段４７ａは、睡眠時間の開始時刻、すなわち、タイマー４４の現在時刻を記憶部４６に記憶する（Ｓ７１）。
【００９４】
次いで、睡眠時間測定手段４７ａは、運転者の睡眠時間の測定、すなわち、タイマー４４による時間の計測を開始する（Ｓ７２）。
【００９５】
ここで、アルコール測定端末４０の制御部４７の設定時間通知手段４７ｂは、上述したように、Ｓ６７において睡眠時間測定手段４７ａに睡眠時間の測定の終了を指示する。
【００９６】
睡眠時間測定手段４７ａは、Ｓ７２の処理の後、設定時間通知手段４７ｂから睡眠時間の測定の終了が指示されたと判断するまで、設定時間通知手段４７ｂから睡眠時間の測定の終了が指示されたか否かを判断する（Ｓ７３）。
【００９７】
睡眠時間測定手段４７ａは、設定時間通知手段４７ｂから睡眠時間の測定の終了が指示されたとＳ７３において判断すると、運転者の睡眠時間の測定、すなわち、タイマー４４による時間の計測を終了する（Ｓ７４）。
【００９８】
次いで、睡眠時間測定手段４７ａは、睡眠時間の終了時刻、すなわち、タイマー４４の現在時刻を記憶部４６に記憶する（Ｓ７５）。
【００９９】
次いで、睡眠時間測定手段４７ａは、Ｓ７２において測定を開始してＳ７４において測定を終了した睡眠時間を記憶部４６に記憶して（Ｓ７６）、図８に示す処理を終了する。
【０１００】
なお、睡眠時間測定手段４７ａは、Ｓ７１において記憶した開始時刻と、Ｓ７５において記憶した終了時刻とに基づいて睡眠時間を算出することもできる。睡眠時間測定手段４７ａは、Ｓ７１において記憶した開始時刻と、Ｓ７５において記憶した終了時刻とに基づいて睡眠時間を算出する場合、Ｓ７２の処理と、Ｓ７４の処理とを省略することができる。
【０１０１】
運転者は、乗務前点呼を受ける場合、乗務前点呼を受ける直前に携帯端末５０の操作部５１を介して携帯端末５０に点呼用情報の送信を指示する。
【０１０２】
携帯端末５０の制御部５６は、点呼用情報の送信が指示されると、図９に示す処理を開始する。
【０１０３】
図９は、点呼用情報送信プログラム５５ａが実行される場合の携帯端末５０の動作のフローチャートである。
【０１０４】
図９に示すように、携帯端末５０の制御部５６の点呼用情報送信手段５６ａは、運転者に乗務員ＩＤの入力を促す画面である乗務員ＩＤ入力画面を表示部５２に表示する（Ｓ８１）。
【０１０５】
次いで、点呼用情報送信手段５６ａは、乗務員ＩＤが入力されたと判断するまで、乗務員ＩＤが入力されたか否かを判断する（Ｓ８２）。
【０１０６】
運転者は、携帯端末５０の表示部５２に乗務員ＩＤ入力画面が表示されている場合、携帯端末５０の操作部５１を介して自己の乗務員ＩＤを入力することができる。
【０１０７】
点呼用情報送信手段５６ａは、乗務員ＩＤが入力されたとＳ８２において判断すると、運転者の呼気に含まれるアルコールの濃度の測定を運転者に促す画面であるアルコール濃度測定画面を表示部５２に表示する（Ｓ８３）。
【０１０８】
次いで、点呼用情報送信手段５６ａは、運転者の呼気に含まれるアルコールの濃度の測定が実行されたと判断するまで、運転者の呼気に含まれるアルコールの濃度の測定が実行されたか否かを判断する（Ｓ８４）。
【０１０９】
運転者は、携帯端末５０の表示部５２にアルコール濃度測定画面が表示されている場合、運転者自身の呼気をアルコール測定端末４０のアルコール濃度測定部４３に吹きかけることによって、運転者自身の呼気に含まれるアルコールの濃度をアルコール濃度測定部４３に測定させることができる。
【０１１０】
アルコール測定端末４０の制御部４７は、アルコール濃度測定部４３がアルコールの濃度を測定すると、アルコール濃度測定部４３によって測定されたアルコールの濃度を端末間通信部４５を介して携帯端末５０に送信する。
【０１１１】
携帯端末５０の点呼用情報送信手段５６ａは、アルコール測定端末４０から送信されてきたアルコールの濃度を端末間通信部５３を介して受信すると、運転者の呼気に含まれるアルコールの濃度の測定が実行されたと判断する。
【０１１２】
点呼用情報送信手段５６ａは、運転者の呼気に含まれるアルコールの濃度の測定が実行されたとＳ８４において判断すると、点呼用情報をネットワーク通信部５４を介して点呼執行者用装置２０に送信する（Ｓ８５）。ここで、点呼用情報には、Ｓ８２において入力された運転者の乗務員ＩＤと、Ｓ８４においてアルコール測定端末４０から受信したアルコールの濃度、すなわち、運転者の呼気に含まれるアルコールの濃度と、Ｓ８４においてアルコールの濃度をアルコール測定端末４０から受信した時刻、すなわち、運転者の呼気に含まれるアルコールの濃度の測定が実行された時刻と、アルコール測定端末４０の記憶部４６に記憶されている運転者の睡眠時間、睡眠時間の開始時刻および終了時刻とが含まれている。
【０１１３】
なお、点呼用情報送信手段５６ａは、Ｓ８５において、アルコール測定端末４０の記憶部４６に記憶されている運転者の睡眠時間、睡眠時間の開始時刻および終了時刻の組み合わせが複数存在する場合、その複数の組み合わせのうち全ての組み合わせを点呼用情報に含ませるようになっていても良いし、一部の組み合わせのみを点呼用情報に含ませるようになっていても良い。例えば、点呼用情報送信手段５６ａは、アルコール測定端末４０の記憶部４６に記憶されている運転者の睡眠時間、睡眠時間の開始時刻および終了時刻の組み合わせのうち、最新の組み合わせのみを点呼用情報に含ませるようになっていても良いし、運転者によって操作部５１を介して選択された特定の組み合わせのみを点呼用情報に含ませるようになっていても良い。
【０１１４】
点呼執行者用装置２０の制御部２５は、携帯端末５０から送信されてきた点呼用情報をネットワーク通信部２３を介して受信すると、受信した点呼用情報を点呼用情報２４ａとして記憶部２４に記憶する。すなわち、点呼執行者用装置２０は、携帯端末５０から送信されてきた点呼用情報を管理する。
【０１１５】
携帯端末５０の点呼用情報送信手段５６ａは、Ｓ８５の処理を終了すると、Ｓ８５の処理において点呼執行者用装置２０に送信した点呼用情報のうち、運転者の呼気に含まれるアルコールの濃度と、その濃度の測定が実行された時刻と、運転者の睡眠時間と、その開始時刻および終了時刻とを、図１０に示すように表示部５２に表示して（Ｓ８６）、図９に示す処理を終了する。
【０１１６】
図１０は、携帯端末５０の表示部５２に表示される画面の一例を示す図である。
【０１１７】
図１０に示すように、表示部５２には、運転者の呼気に含まれるアルコールの濃度である「０．０００ｍｇ／Ｌ」と、運転者の呼気に含まれるアルコールの濃度の測定が実行された時刻である「２０１２年６月６日８：００」と、運転者の睡眠時間である「８時間」と、運転者の睡眠時間の開始時刻である「２２：００」と、運転者の睡眠時間の終了時刻である「６：００」とが表示されている。
【０１１８】
運転者は、携帯端末５０による点呼用情報の送信が終了すると、点呼執行者による乗務前点呼を受ける。具体的には、運転者は、営業所に電話して、営業所に居る点呼執行者と電話で会話しながらの点呼、すなわち、電話点呼を受ける。この電話点呼において、運転者は、例えば、自身の乗務員ＩＤ、自身が運転する乗り物の識別番号である車番、点呼執行者からの質問に対する回答などの情報を、点呼執行者に伝える。点呼執行者は、電話点呼において、点呼執行者用装置２０の記憶部２４に記憶されている点呼用情報２４ａのうち、運転者から電話を介して伝えられた乗務員ＩＤに対応付けられている点呼用情報を、点呼執行者用装置２０の表示部２２に表示させ、この点呼用情報に基づいて運転者に質問を行うことができる。点呼執行者は、電話点呼において運転者から伝えられた情報を点呼執行者用装置２０の操作部２１を介して点呼執行者用装置２０の記憶部２４に入力する。
【０１１９】
以上に説明したように、被点呼運転者用装置３０は、アルコール測定端末４０の操作部４１に入力された操作に応じて時間を計測することによって運転者の睡眠時間を測定する（Ｓ７２およびＳ７４）ので、運転者の客観的な睡眠時間を従来より容易に取得することができる。
【０１２０】
また、被点呼運転者用装置３０は、設定時間通知手段４７ｂによる動作を開始するための操作、すなわち、目覚まし時計の機能の開始を指示するための操作が操作部４１に入力された場合に睡眠時間の測定を開始し（Ｓ７２）、設定時間通知手段４７ｂによる動作を終了するための操作、すなわち、目覚まし時計の機能の終了を指示するための操作が操作部４１に入力された場合（Ｓ６２でＹＥＳ）に睡眠時間の測定を終了する（Ｓ７４）。すなわち、被点呼運転者用装置３０は、設定時間通知手段４７ｂによる目覚まし時計としての機能の開始および終了の操作に応じて運転者の睡眠時間を測定する。したがって、被点呼運転者用装置３０は、設定時間通知手段４７ｂによる目覚まし時計としての機能の開始および終了の操作と、睡眠時間測定手段４７ａによる運転者の睡眠時間の測定を実行するための操作とが別々である構成と比較して、利便性を向上することができる。
【０１２１】
なお、被点呼運転者用装置３０は、設定時間通知手段４７ｂによる目覚まし時計としての機能の開始および終了の操作と、睡眠時間測定手段４７ａによる運転者の睡眠時間の測定を実行するための操作とが別々である構成であっても良い。すなわち、アルコール測定端末４０は、操作部４１を介して睡眠時間の測定の開始および終了が直接指示されるようになっていても良い。ここで、操作部４１には、アルコール測定端末４０に睡眠時間の測定の開始を指示するための専用のスイッチと、アルコール測定端末４０に睡眠時間の測定の終了を指示するための専用のスイッチとが含まれていても良い。アルコール測定端末４０に睡眠時間の測定の開始を指示するための専用のスイッチと、アルコール測定端末４０に睡眠時間の測定の終了を指示するための専用のスイッチとは、同一のスイッチであっても良い。
【０１２２】
被点呼運転者用装置３０は、運転者の呼気に含まれるアルコールの濃度と、運転者の睡眠時間とを点呼用情報として点呼執行者用装置２０に送信する（Ｓ８５）ので、運転者の呼気に含まれるアルコールの濃度のみを点呼用情報として点呼執行者用装置２０に送信する場合と比較して、運転者による乗り物の運転業務に支障がないか否かを点呼執行者に更に適切に判断させることができる。
【０１２３】
なお、被点呼運転者用装置３０は、本実施の形態において、アルコール測定端末４０にタイマー４４を備えている。しかしながら、被点呼運転者用装置３０は、携帯端末５０にタイマーを備えていても良い。
【０１２４】
アルコール測定端末４０と、携帯端末５０とは、本実施の形態において、ケーブル３１を介して互いに通信可能に接続されている。しかしながら、アルコール測定端末４０と、携帯端末５０とは、ケーブル３１以外の方法によって互いに通信可能に接続されても良い。例えば、アルコール測定端末４０と、携帯端末５０とは、Ｂｌｕｅｔｏｏｔｈ（登録商標）などの短距離無線通信によって互いに通信可能に接続されても良い。
【０１２５】
（第２の実施の形態）
まず、本実施の形態に係る点呼システムの構成について説明する。
【０１２６】
なお、本実施の形態に係る点呼システムの構成のうち第１の実施の形態に係る点呼システム１０（図１参照。）の構成と同様の構成については、点呼システム１０の構成と同一の符号を付して詳細な説明を省略する。
【０１２７】
本実施の形態に係る点呼システムの構成は、図１１に示すアルコール測定端末１４０と、図１２に示す携帯端末１５０とを、アルコール測定端末４０（図５参照。）および携帯端末５０（図６参照。）に代えて点呼システム１０が備えた構成と同様である。
【０１２８】
図１１は、アルコール測定端末１４０のブロック図である。
【０１２９】
図１１に示すように、アルコール測定端末１４０の構成は、タイマー４４（図５参照。）、睡眠時間測定プログラム４６ａ（図５参照。）をアルコール測定端末４０が備えていない構成と同様である。
【０１３０】
図１２は、携帯端末１５０のブロック図である。
【０１３１】
図１２に示すように、携帯端末１５０の構成は、時間を計測するためのタイマー１５１と、運転者の睡眠時間を測定するためのプログラムである睡眠時間測定プログラム１５５ａと、予め設定された時間になった場合に運転者に対する通知を実行するためのプログラムである設定時間通知プログラム１５５ｂとを携帯端末５０が備えた構成と同様である。
【０１３２】
制御部５６は、記憶部５５に記憶されている睡眠時間測定プログラム１５５ａを実行することによって、運転者の睡眠時間を測定する睡眠時間測定手段１５６ａとして機能する。
【０１３３】
制御部５６は、記憶部５５に記憶されている設定時間通知プログラム１５５ｂを実行することによって、予め設定された時間になった場合に運転者に対する通知を実行する設定時間通知手段１５６ｂとして機能する。
【０１３４】
次に、本実施の形態に係る点呼システムの動作について説明する。
【０１３５】
本実施の形態に係る点呼システムの動作は、以下に述べる動作を除いて点呼システム１０の動作と同様である。なお、本実施の形態に係る点呼システムの動作のうち点呼システム１０の動作と同様の動作については、点呼システム１０の動作と同一の符号を付して詳細な説明を省略する。
【０１３６】
以下においては、睡眠（Ｔ１）について説明する。しかしながら、仮眠（Ｔ４）についても同様である。
【０１３７】
運転者は、睡眠を開始する場合、携帯端末１５０の操作部５１を介して携帯端末１５０に目覚まし時計の機能の開始を指示する。なお、操作部５１には、携帯端末１５０に目覚まし時計の機能の開始を指示するための専用のスイッチが含まれていても良い。
【０１３８】
携帯端末１５０の制御部５６は、目覚まし時計の機能の開始が指示されると、図７に示す処理と同様の処理を開始する。
【０１３９】
すなわち、携帯端末１５０の制御部５６の設定時間通知手段１５６ｂは、携帯端末１５０の制御部５６の睡眠時間測定手段１５６ａに睡眠時間の測定の開始を指示する。
【０１４０】
睡眠時間測定手段１５６ａは、睡眠時間の測定の開始が指示されると、図８に示す処理と同様の処理を開始する。
【０１４１】
すなわち、睡眠時間測定手段１５６ａは、睡眠時間の開始時刻、すなわち、タイマー１５１の現在時刻を記憶部５５に記憶した後、運転者の睡眠時間の測定、すなわち、タイマー１５１による時間の計測を開始する。
【０１４２】
運転者は、睡眠を終了、すなわち、起床して、携帯端末１５０の操作部５１を介して携帯端末１５０に目覚まし時計の機能の終了を指示することができる。なお、操作部５１には、携帯端末１５０に目覚まし時計の機能の終了を指示するための専用のスイッチが含まれていても良い。このスイッチは、携帯端末１５０に目覚まし時計の機能の開始を指示するためのスイッチと同一のスイッチであっても良い。
【０１４３】
携帯端末１５０の制御部５６の設定時間通知手段１５６ｂは、目覚まし時計の機能の終了が指示されると、睡眠時間測定手段１５６ａに睡眠時間の測定の終了を指示して、図７に示す処理と同様の処理を終了する。
【０１４４】
睡眠時間測定手段１５６ａは、設定時間通知手段１５６ｂから睡眠時間の測定の終了が指示されたと判断すると、運転者の睡眠時間の測定、すなわち、タイマー１５１による時間の計測を終了した後、睡眠時間の終了時刻、すなわち、タイマー１５１の現在時刻と、測定した睡眠時間とを記憶部５５に記憶して、図８に示す処理と同様の処理を終了する。
【０１４５】
なお、携帯端末１５０の点呼用情報送信手段５６ａは、図９に示す処理を実行する場合、点呼執行者用装置２０に送信する点呼用情報に含ませる運転者の睡眠時間、睡眠時間の開始時刻および終了時刻とを記憶部５５から取得する。
【０１４６】
以上に説明したように、本実施の形態に係る被点呼運転者用装置は、携帯端末１５０の操作部５１に入力された操作に応じて時間を計測することによって運転者の睡眠時間を測定する（Ｓ７２およびＳ７４）ので、運転者の客観的な睡眠時間を従来より容易に取得することができる。
【０１４７】
なお、本実施の形態に係る被点呼運転者用装置は、設定時間通知手段１５６ｂによる目覚まし時計としての機能の開始および終了の操作と、睡眠時間測定手段１５６ａによる運転者の睡眠時間の測定を実行するための操作とが別々である構成であっても良い。すなわち、携帯端末１５０は、操作部５１を介して睡眠時間の測定の開始および終了が直接指示されるようになっていても良い。ここで、操作部５１には、携帯端末１５０に睡眠時間の測定の開始を指示するための専用のスイッチと、携帯端末１５０に睡眠時間の測定の終了を指示するための専用のスイッチとが含まれていても良い。携帯端末１５０に睡眠時間の測定の開始を指示するための専用のスイッチと、携帯端末１５０に睡眠時間の測定の終了を指示するための専用のスイッチとは、同一のスイッチであっても良い。
【０１４８】
また、本実施の形態に係る被点呼運転者用装置は、運転者の呼気に含まれるアルコールの濃度と、運転者の睡眠時間とを点呼用情報として点呼執行者用装置２０に送信する（Ｓ８５）ので、運転者の呼気に含まれるアルコールの濃度のみを点呼用情報として点呼執行者用装置２０に送信する場合と比較して、運転者による乗り物の運転業務に支障がないか否かを点呼執行者に更に適切に判断させることができる。
【０１４９】
なお、本実施の形態に係る被点呼運転者用装置は、本実施の形態において、携帯端末１５０にタイマー１５１を備えている。しかしながら、本実施の形態に係る被点呼運転者用装置は、アルコール測定端末１４０にタイマーを備えていても良い。
【０１５０】
（第３の実施の形態）
まず、本実施の形態に係る点呼システムの構成について説明する。
【０１５１】
なお、本実施の形態に係る点呼システムの構成のうち第２の実施の形態に係る点呼システムの構成と同様の構成については、第２の実施の形態に係る点呼システムの構成と同一の符号を付して詳細な説明を省略する。
【０１５２】
本実施の形態に係る点呼システムの構成は、図１３に示す携帯端末２５０を携帯端末１５０（図１２参照。）に代えて第２の実施の形態に係る点呼システムが備えた構成と同様である。
【０１５３】
図１３は、携帯端末２５０のブロック図である。
【０１５４】
図１３に示すように、携帯端末２５０の構成は、現在位置を取得する現在位置取得手段としてのＧＰＳ（Ｇｌｏｂａｌ  Ｐｏｓｉｔｉｏｎｉｎｇ  Ｓｙｓｔｅｍ）ユニット２５１を携帯端末１５０が備えた構成と同様である。
【０１５５】
次に、本実施の形態に係る点呼システムの動作について説明する。
【０１５６】
本実施の形態に係る点呼システムの動作は、以下に述べる動作を除いて第２の実施の形態に係る点呼システムの動作と同様である。なお、本実施の形態に係る点呼システムの動作のうち第２の実施の形態に係る点呼システムの動作と同様の動作については、第２の実施の形態に係る点呼システムの動作と同一の符号を付して詳細な説明を省略する。
【０１５７】
以下においては、睡眠（Ｔ１）について説明する。しかしながら、仮眠（Ｔ４）についても同様である。
【０１５８】
運転者は、睡眠を開始する場合、携帯端末２５０の操作部５１を介して携帯端末２５０に目覚まし時計の機能の開始を指示する。なお、操作部５１には、携帯端末２５０に目覚まし時計の機能の開始を指示するための専用のスイッチが含まれていても良い。
【０１５９】
携帯端末２５０の制御部５６は、目覚まし時計の機能の開始が指示されると、図７に示す処理と同様の処理を開始する。
【０１６０】
すなわち、携帯端末２５０の制御部５６の設定時間通知手段１５６ｂは、携帯端末２５０の制御部５６の睡眠時間測定手段１５６ａに睡眠時間の測定の開始を指示する。
【０１６１】
睡眠時間測定手段１５６ａは、睡眠時間の測定の開始が指示されると、図１４に示す処理を開始する。
【０１６２】
図１４は、睡眠時間測定プログラム１５５ａが実行される場合の携帯端末２５０の動作のフローチャートである。
【０１６３】
図１４に示すように、携帯端末２５０の制御部５６の睡眠時間測定手段１５６ａは、Ｓ７２の処理の後、所定の移動があったか否かを判断する（Ｓ１６１）。ここで、所定の移動とは、例えば、１ｋｍ以上の移動、３０分以上の移動などである。所定の移動は、予め設定されており、例えば記憶部５５に記憶されている。睡眠時間測定手段１５６ａは、ＧＰＳユニット２５１によって取得された現在位置の履歴に基づいて、所定の移動があったか否かを判断する。
【０１６４】
睡眠時間測定手段１５６ａは、所定の移動がなかったとＳ１６１において判断すると、設定時間通知手段１５６ｂから睡眠時間の測定の終了が指示されたか否かを判断する（Ｓ７３）。
【０１６５】
睡眠時間測定手段１５６ａは、設定時間通知手段１５６ｂから睡眠時間の測定の終了が指示されていないとＳ７３において判断すると、再びＳ１６１の処理に戻る。
【０１６６】
睡眠時間測定手段１５６ａは、所定の移動があったとＳ１６１において判断すると、所定の移動時の睡眠時間は有効であると設定されているか否かを判断する（Ｓ１６２）。所定の移動時の睡眠時間は有効であるか否かは、予め設定されており、例えば記憶部５５に記憶されている。
【０１６７】
睡眠時間測定手段１５６ａは、所定の移動時の睡眠時間は有効であると設定されているとＳ１６２において判断すると、Ｓ７４の処理を実行する。
【０１６８】
一方、睡眠時間測定手段１５６ａは、所定の移動時の睡眠時間は無効であると設定されているとＳ１６２において判断すると、運転者の睡眠時間の測定、すなわち、タイマー１５１による時間の計測を終了する（Ｓ１６３）。
【０１６９】
次いで、睡眠時間測定手段１５６ａは、Ｓ７１において記憶した睡眠時間の開始時刻を記憶部５５から削除して（Ｓ１６４）、図１４に示す処理を終了する。
【０１７０】
以上に説明したように、本実施の形態に係る被点呼運転者用装置は、睡眠時間の測定の最中に、所定の移動があったことを判断した場合（Ｓ１６１でＹＥＳ）、この測定を終了する（Ｓ７４、Ｓ１６３）。すなわち、本実施の形態に係る被点呼運転者用装置は、所定の移動の状態を、睡眠していない状態として扱う。したがって、本実施の形態に係る被点呼運転者用装置は、運転者の睡眠時間の測定の精度を向上することができる。
【０１７１】
また、本実施の形態に係る被点呼運転者用装置は、所定の移動の状態を、睡眠していない状態として扱うので、例えば、本来睡眠を取らなければならない運転者が少しでも運行距離を稼ごうと睡眠を取らずに乗務するということが発生することを抑制することができる。
【０１７２】
また、本実施の形態に係る被点呼運転者用装置は、睡眠時間の測定の最中に、所定の移動があったことを判断した場合（Ｓ１６１でＹＥＳ）、設定によっては、この測定によって得られる睡眠時間を無効にする（Ｓ１６２でＮＯ）。したがって、本実施の形態に係る被点呼運転者用装置は、測定によって得られる睡眠時間が無効にされることを防ぐことを希望する運転者に睡眠時間の測定の最中における所定の移動を抑制させることができるので、運転者に睡眠を適切に取らせることができる。
【０１７３】
一方、本実施の形態に係る被点呼運転者用装置は、睡眠時間の測定の最中に、所定の移動があったことを判断した場合（Ｓ１６１でＹＥＳ）、設定によっては、この測定によって得られる睡眠時間を有効にする（Ｓ１６２でＹＥＳ）。したがって、本実施の形態に係る被点呼運転者用装置は、目覚まし時計の機能の終了、すなわち、睡眠時間の測定の終了を指示することを運転者が失念して移動してしまった場合であっても、睡眠時間を有効に記憶することができる。
【０１７４】
なお、本実施の形態に係る被点呼運転者用装置は、所定の移動があったことを判断した場合における測定によって得られる睡眠時間を有効にするか否かが設定されることができるようになっている。しかしながら、被点呼運転者用装置は、睡眠時間の測定の最中に、所定の移動があったことを判断した場合、この測定によって得られる睡眠時間を有効にするか否かが固定であっても良い。
【０１７５】
本実施の形態に係る被点呼運転者用装置は、本実施の形態において、携帯端末２５０にＧＰＳユニット２５１を備えている。しかしながら、本実施の形態に係る被点呼運転者用装置は、アルコール測定端末１４０にＧＰＳユニットを備えていても良い。
【０１７６】
本発明の現在位置取得手段は、本実施の形態において、ＧＰＳユニットによって実現されている。しかしながら、本発明の現在位置取得手段は、現在位置を取得することができる装置であれば、ＧＰＳユニット以外の装置によって実現されていても良い。
【０１７７】
本実施の形態に係る被点呼運転者用装置は、運転者の睡眠時間を測定するための睡眠時間測定プログラム１５５ａを携帯端末２５０が実行するようになっている。しかしながら、被点呼運転者用装置は、第１の実施の形態に係る被点呼運転者用装置３０（図４参照。）と同様に、運転者の睡眠時間を測定するための睡眠時間測定プログラムをアルコール測定端末１４０が実行するようになっていても良い。
【０１７８】
（第４の実施の形態）
まず、本実施の形態に係る点呼システムの構成について説明する。
【０１７９】
なお、本実施の形態に係る点呼システムの構成のうち第２の実施の形態に係る点呼システムの構成と同様の構成については、第２の実施の形態に係る点呼システムの構成と同一の符号を付して詳細な説明を省略する。
【０１８０】
本実施の形態に係る点呼システムの構成は、図１５に示す携帯端末３５０を携帯端末１５０（図１２参照。）に代えて第２の実施の形態に係る点呼システムが備えた構成と同様である。
【０１８１】
図１５は、携帯端末３５０のブロック図である。
【０１８２】
図１５に示すように、携帯端末３５０の構成は、周囲の音の音量を検出するマイク３５１と、周囲の明るさを検出する照度センサーとしてのフォトダイオード３５２と、振動を検出する振動センサーとしての３軸加速度センサー３５３とを携帯端末１５０が備え、運転者の睡眠時間を測定するためのプログラムである睡眠時間測定プログラム３５５ａを睡眠時間測定プログラム１５５ａ（図１２参照。）に代えて携帯端末１５０が備え、運転者の睡眠の質のレベルを判定するための閾値を設定するためのプログラムである閾値設定プログラム３５５ｂと、運転者の睡眠の質のレベルを判定するための閾値の情報である閾値情報３５５ｃとを記憶部５５に携帯端末１５０が備えた構成と同様である。
【０１８３】
マイク３５１およびフォトダイオード３５２は、携帯端末３５０の筐体の正面に配置されていることが好ましい。
【０１８４】
制御部５６は、記憶部５５に記憶されている睡眠時間測定プログラム３５５ａを実行することによって、運転者の睡眠時間を測定する睡眠時間測定手段１５６ａ、運転者の睡眠の質のレベルを判定する睡眠質判定手段３５６ａ、睡眠時間測定手段１５６ａによる睡眠時間の測定の最中に３軸加速度センサー３５３によって検出された振動に基づいて運転者の寝返りの回数を測定する寝返り回数測定手段３５６ｂ、および、睡眠時間測定手段１５６ａによる睡眠時間の測定の最中に３軸加速度センサー３５３によって検出された振動に基づいて無振動の状態を検出する無振動状態検出手段３５６ｃとして機能する。
【０１８５】
また、制御部５６は、記憶部５５に記憶されている閾値設定プログラム３５５ｂを実行することによって、運転者の睡眠の質のレベルを判定するための閾値を設定する閾値設定手段３５６ｄとして機能する。
【０１８６】
図１６は、閾値情報３５５ｃの一例を示す図である。
【０１８７】
図１６に示すように、閾値情報３５５ｃは、周囲の音の音量に対する閾値である第１音量閾値および第２音量閾値と、周囲の明るさに対する閾値である第１明るさ閾値および第２明るさ閾値と、運転者の寝返りの回数に対する閾値である第１寝返り回数閾値、第２寝返り回数閾値、第３寝返り回数閾値および第４寝返り回数閾値とを含んでいる。
【０１８８】
次に、本実施の形態に係る点呼システムの動作について説明する。
【０１８９】
本実施の形態に係る点呼システムの動作は、以下に述べる動作を除いて第２の実施の形態に係る点呼システムの動作と同様である。なお、本実施の形態に係る点呼システムの動作のうち第２の実施の形態に係る点呼システムの動作と同様の動作については、第２の実施の形態に係る点呼システムの動作と同一の符号を付して詳細な説明を省略する。
【０１９０】
以下においては、睡眠（Ｔ１）について説明する。しかしながら、仮眠（Ｔ４）についても同様である。
【０１９１】
運転者は、睡眠を開始する場合、携帯端末３５０の操作部５１を介して携帯端末３５０に目覚まし時計の機能の開始を指示する。なお、操作部５１には、携帯端末３５０に目覚まし時計の機能の開始を指示するための専用のスイッチが含まれていても良い。
【０１９２】
また、運転者は、睡眠を開始する場合、運転者の睡眠の質に関する情報を携帯端末３５０に取得させるために、適切な状態で携帯端末３５０を設置する。具体的には、運転者は、マイク３５１が周囲の音の音量を適切に検出することができるように、マイク３５１が隠れない状態、例えば正面側が上向きになる状態で携帯端末３５０を設置する。また、運転者は、フォトダイオード３５２が周囲の明るさを適切に検出することができるように、フォトダイオード３５２が隠れない状態、例えば正面側が上向きになる状態で携帯端末３５０を設置する。また、運転者は、３軸加速度センサー３５３が振動を適切に検出することができるように、睡眠のために運転者自身が横たわる例えばベッド、座席などの部材の上に携帯端末３５０を設置する。
【０１９３】
携帯端末３５０の制御部５６は、目覚まし時計の機能の開始が指示されると、図７に示す処理と同様の処理を開始する。
【０１９４】
すなわち、携帯端末３５０の制御部５６の設定時間通知手段１５６ｂは、携帯端末３５０の制御部５６の睡眠時間測定手段１５６ａに睡眠時間の測定の開始を指示する。
【０１９５】
睡眠時間測定手段１５６ａは、睡眠時間の測定の開始が指示されると、図１７に示す処理を開始する。
【０１９６】
図１７は、睡眠時間測定プログラム３５５ａが実行される場合の携帯端末３５０の動作のフローチャートである。
【０１９７】
図１７に示すように、携帯端末３５０の制御部５６の睡眠時間測定手段１５６ａは、Ｓ７２の処理の後、マイク３５１による周囲の音の音量の検出と、フォトダイオード３５２による周囲の明るさの検出と、３軸加速度センサー３５３および寝返り回数測定手段３５６ｂによる寝返りの回数の測定と、３軸加速度センサー３５３および無振動状態検出手段３５６ｃによる無振動の状態の検出とを開始する（Ｓ３６１）。
【０１９８】
次いで、睡眠時間測定手段１５６ａは、Ｓ７３の処理を実行する。
【０１９９】
睡眠時間測定手段１５６ａは、設定時間通知手段１５６ｂから睡眠時間の測定の終了が指示されたとＳ７３において判断すると、マイク３５１による周囲の音の音量の検出と、フォトダイオード３５２による周囲の明るさの検出と、３軸加速度センサー３５３および寝返り回数測定手段３５６ｂによる寝返りの回数の測定と、３軸加速度センサー３５３および無振動状態検出手段３５６ｃによる無振動の状態の検出とを終了する（Ｓ３６２）。
【０２００】
次いで、睡眠時間測定手段１５６ａは、Ｓ７４の処理を実行する。
【０２０１】
睡眠時間測定手段１５６ａは、Ｓ７６の処理を終了すると、Ｓ３６１において検出を開始してＳ３６２において検出を終了した周囲の音の音量の平均値および最大値と、Ｓ３６１において検出を開始してＳ３６２において検出を終了した周囲の明るさの平均値および最大値と、Ｓ３６１において測定を開始してＳ３６２において測定を終了した寝返りの回数と、Ｓ３６１において検出を開始してＳ３６２において検出を終了した無振動の状態の検出結果とを記憶部５５に記憶する（Ｓ３６３）。ここで、無振動の状態の検出結果には、例えば、「２２：００〜２４：００の２時間  無振動の状態を検出」というように、無振動の状態が発生した時間を含んでいる。
【０２０２】
次いで、睡眠時間測定手段１５６ａは、睡眠質判定手段３５６ａによる運転者の睡眠の質のレベルの判定の処理である睡眠質判定処理を実行する（Ｓ３６４）。
【０２０３】
図１８は、Ｓ３６４の睡眠質判定処理のフローチャートである。
【０２０４】
図１８に示すように、睡眠質判定手段３５６ａは、Ｓ３６１において検出を開始してＳ３６２において検出を終了した周囲の音の音量の平均値が２０ｄＢ以下であるか否かを判断する（Ｓ３７１）。
【０２０５】
睡眠質判定手段３５６ａは、周囲の音の音量の平均値が２０ｄＢ以下ではないとＳ３７１において判断すると、Ｓ３６１において検出を開始してＳ３６２において検出を終了した周囲の音の音量の平均値が４０ｄＢ以上であるか否かを判断する（Ｓ３７２）。
【０２０６】
睡眠質判定手段３５６ａは、周囲の音の音量の平均値が２０ｄＢ以下であるとＳ３７１において判断すると、Ｓ３６１において検出を開始してＳ３６２において検出を終了した周囲の明るさの平均値が０．３ルクス以下であるか否かを判断する（Ｓ３７３）。
【０２０７】
睡眠質判定手段３５６ａは、周囲の音の音量の平均値が４０ｄＢ以上ではないとＳ３７２において判断するか、周囲の明るさの平均値が０．３ルクス以下ではないとＳ３７３において判断すると、Ｓ３６１において検出を開始してＳ３６２において検出を終了した周囲の明るさの平均値が３０ルクス以上であるか否かを判断する（Ｓ３７４）。
【０２０８】
睡眠質判定手段３５６ａは、周囲の明るさの平均値が０．３ルクス以下であるとＳ３７３において判断すると、Ｓ３６１において測定を開始してＳ３６２において測定を終了した寝返りの回数をＳ７６において記憶した睡眠時間で割った回数、すなわち、１時間当たりの寝返りの回数が２．５回以上３．７５回以下であるか否かを判断する（Ｓ３７５）。
【０２０９】
睡眠質判定手段３５６ａは、周囲の明るさの平均値が３０ルクス以上ではないとＳ３７４において判断するか、１時間当たりの寝返りの回数が２．５回以上３．７５回以下ではないとＳ３７５において判断すると、１時間当たりの寝返りの回数が１回以下または５回以上であるか否かを判断する（Ｓ３７６）。
【０２１０】
睡眠質判定手段３５６ａは、１時間当たりの寝返りの回数が２．５回以上３．７５回以下であるとＳ３７５において判断すると、運転者の睡眠の質のレベルを「高」と判定して（Ｓ３７７）、図１８に示す処理を終了する。
【０２１１】
睡眠質判定手段３５６ａは、１時間当たりの寝返りの回数が１回以下ではなく５回以上でもないとＳ３７６において判断すると、運転者の睡眠の質のレベルを「中」と判定して（Ｓ３７８）、図１８に示す処理を終了する。
【０２１２】
睡眠質判定手段３５６ａは、周囲の音の音量の平均値が４０ｄＢ以上であるとＳ３７２において判断するか、周囲の明るさの平均値が３０ルクス以上であるとＳ３７４において判断するか、１時間当たりの寝返りの回数が１回以下または５回以上であるとＳ３７６において判断すると、運転者の睡眠の質のレベルを「低」と判定して（Ｓ３７９）、図１８に示す処理を終了する。
【０２１３】
なお、図１８における２０ｄＢ、４０ｄＢは、それぞれ予め設定されて記憶部５５上の閾値情報３５５ｃ（図１６参照。）に記憶されている第１音量閾値、第２音量閾値である。図１８における０．３ルクス、３０ルクスは、それぞれ予め設定されて記憶部５５上の閾値情報３５５ｃに記憶されている第１明るさ閾値、第２明るさ閾値である。図１８における１回、２．５回、３．７５回、５回は、それぞれ予め設定されて記憶部５５上の閾値情報３５５ｃに記憶されている第１寝返り回数閾値、第２寝返り回数閾値、第３寝返り回数閾値、第４寝返り回数閾値である。
【０２１４】
図１７に示すように、携帯端末３５０の制御部５６の睡眠時間測定手段１５６ａは、Ｓ３６４の睡眠質判定処理を終了すると、Ｓ３６４の睡眠質判定処理において判定された運転者の睡眠の質のレベルを記憶部５５に記憶して（Ｓ３６５）、図１７に示す処理を終了する。
【０２１５】
図１９は、運転者が睡眠する場合に３軸加速度センサー３５３によって検出される振動の一例を示す図である。図１９において、上段のグラフは、３軸加速度センサー３５３によって検出される振動の振幅を示すグラフである。下段のグラフは、運転者の睡眠深度を示すグラフである。
【０２１６】
図１９に示すように、３軸加速度センサー３５３によって検出される振動は、睡眠時間の測定の開始の直後の期間３８１において、大きな振動である。この期間３８１における運転者の睡眠深度は最初の山３９１であり、運転者は、未だ覚醒している。
【０２１７】
次いで、３軸加速度センサー３５３によって検出される振動は、期間３８１の次の期間３８２において、小さな振動である。この期間３８２における運転者の睡眠深度は、山３９１から徐々に下がって最初の谷３９２に達した後、徐々に上がる。谷３９２において、運転者の睡眠の状態は、ノンレム睡眠の状態である。
【０２１８】
次いで、３軸加速度センサー３５３によって検出される振動は、期間３８２の次の期間３８３において、大きな振動である。この期間３８３における運転者の睡眠深度は、徐々に上がって２回目の山３９３に達する。山３９３において、運転者の睡眠の状態は、レム睡眠の状態である。
【０２１９】
次いで、３軸加速度センサー３５３によって検出される振動は、期間３８３の次の期間３８４において、小さな振動である。この期間３８４における運転者の睡眠深度は、山３９３である。
【０２２０】
次いで、３軸加速度センサー３５３によって検出される振動は、期間３８４の次の期間３８５において、大きな振動である。この期間３８５における運転者の睡眠深度は、山３９３から徐々に下がる。
【０２２１】
次いで、３軸加速度センサー３５３によって検出される振動は、期間３８５の次の期間３８６において、小さな振動である。この期間３８６における運転者の睡眠深度は、徐々に下がって２回目の谷３９４に達した後、徐々に上がる。谷３９４において、運転者の睡眠の状態は、ノンレム睡眠の状態である。
【０２２２】
以降、同様に、運転者の睡眠の状態がノンレム睡眠およびレム睡眠を繰り返す度に、３軸加速度センサー３５３によって検出される振動のパターンも繰り返される。
【０２２３】
ここで、最初の期間３８１における大きな振動は、運転者が覚醒している場合の振動であり、寝返りによる振動ではないと推定される。
【０２２４】
一方、期間３８３、期間３８５など、期間３８１以外の期間における大きな振動は、運転者が睡眠している場合の振動であり、寝返りによる振動であると推定される。寝返りによる振動は、呼吸による振動と比較すると、振幅が大きいという特徴がある。また、寝返りによる振動は、呼吸による振動と比較すると、振幅のばらつきが大きいという特徴がある。また、寝返りによる振動が発生する期間が現れる時期は、ノンレム睡眠からレム睡眠に移行する時期、および、レム睡眠からノンレム睡眠に移行する時期であるという特徴がある。すなわち、寝返りによる振動が発生する期間同士は、数十分の間隔で発生するという特徴がある。
【０２２５】
また、期間３８２、期間３８４、期間３８６など、大きな振動が現れる期間に挟まれている期間における小さな振動は、運転者が睡眠している場合の振動であり、呼吸による振動であると推定される。呼吸による振動は、寝返りによる振動と比較すると、振幅が小さいという特徴がある。また、呼吸による振動は、寝返りによる振動と比較すると、振幅のばらつきが小さいという特徴がある。また、呼吸による振動は、５秒から１０秒程度の短い周期性があるという特徴がある。
【０２２６】
図２０は、寝返りの回数の測定が実行される場合の携帯端末３５０の動作のフローチャートである。
【０２２７】
上述のＳ３６１において寝返りの回数の測定が開始されると、制御部５６の寝返り回数測定手段３５６ｂは、図２０に示す処理を実行する。
【０２２８】
図２０に示すように、寝返り回数測定手段３５６ｂは、３軸加速度センサー３５３によって検出される振動に基づいて、振幅が大きい振動の期間が終了したと判断するまで、振幅が大きい振動の期間が終了したか否かを判断する（Ｓ４０１）。すなわち、寝返り回数測定手段３５６ｂは、運転者が覚醒している期間が終了したか否かを判断する。ここで、寝返り回数測定手段３５６ｂは、３軸加速度センサー３５３によって検出される振動に、上述の呼吸による振動の特徴が生じた場合、振幅が大きい振動の期間が終了したと判断する。なお、寝返り回数測定手段３５６ｂは、運転者が覚醒している期間における振動の回数を寝返りの回数として測定しない。
【０２２９】
寝返り回数測定手段３５６ｂは、振幅が大きい振動の期間が終了したとＳ４０１において判断すると、３軸加速度センサー３５３によって検出される振動に基づいて、振幅が小さい振動の期間が終了したと判断するまで、振幅が小さい振動の期間が終了したか否かを判断する（Ｓ４０２）。すなわち、寝返り回数測定手段３５６ｂは、呼吸による振動が現れている期間が終了したか否かを判断する。ここで、寝返り回数測定手段３５６ｂは、３軸加速度センサー３５３によって検出される振動に、上述の寝返りによる振動の特徴が生じた場合、振幅が小さい振動の期間が終了したと判断する。なお、寝返り回数測定手段３５６ｂは、振幅が小さい振動の期間における振動の振幅を、呼吸による振動の振幅の基準として記憶して、以後の処理において、呼吸による振動と、寝返りによる振動との区別の精度の向上のために使用することができる。また、寝返り回数測定手段３５６ｂは、振幅が小さい振動の期間における振動の回数を寝返りの回数として測定しない。
【０２３０】
寝返り回数測定手段３５６ｂは、振幅が小さい振動の期間が終了したとＳ４０２において判断すると、３軸加速度センサー３５３によって検出される振動に基づいて、振幅が大きい振動の期間が終了したか否かを判断する（Ｓ４０３）。すなわち、寝返り回数測定手段３５６ｂは、寝返りによる振動が現れている期間が終了したか否かを判断する。ここで、寝返り回数測定手段３５６ｂは、３軸加速度センサー３５３によって検出される振動に、上述の呼吸による振動の特徴が生じた場合、振幅が大きい振動の期間が終了したと判断する。
【０２３１】
寝返り回数測定手段３５６ｂは、振幅が大きい振動の期間が終了していないとＳ４０３において判断すると、振動のピーク、すなわち、山または谷が発生したか否かを判断する（Ｓ４０４）。
【０２３２】
寝返り回数測定手段３５６ｂは、振動のピークが発生したとＳ４０４において判断すると、測定中の寝返りの回数を１増やす（Ｓ４０５）。
【０２３３】
寝返り回数測定手段３５６ｂは、振動のピークが発生していないとＳ４０４において判断するか、Ｓ４０５の処理を終了すると、再びＳ４０３の処理に戻る。
【０２３４】
寝返り回数測定手段３５６ｂは、振幅が大きい振動の期間が終了したとＳ４０３において判断すると、再びＳ４０２の処理に戻る。
【０２３５】
なお、携帯端末３５０の点呼用情報送信手段５６ａは、図９に示す処理を実行する場合、点呼執行者用装置２０に送信する点呼用情報に、運転者の乗務員ＩＤと、運転者の呼気に含まれるアルコールの濃度と、運転者の呼気に含まれるアルコールの濃度の測定が実行された時刻と、運転者の睡眠時間、睡眠時間の開始時刻および終了時刻とに加えて、記憶部５５に記憶されている周囲の音の音量の平均値および最大値と、記憶部５５に記憶されている周囲の明るさの平均値および最大値と、記憶部５５に記憶されている寝返りの回数と、記憶部５５に記憶されている無振動の状態の検出結果と、運転者の睡眠の質のレベルとを含ませる。
【０２３６】
運転者は、周囲の音の音量に対する閾値を設定する場合、周囲の音の音量に対する閾値の設定の開始を携帯端末３５０の操作部５１を介して携帯端末３５０に指示する。
【０２３７】
携帯端末３５０の制御部５６は、周囲の音の音量に対する閾値の設定の開始が指示されると、図２１に示す処理を開始する。
【０２３８】
図２１は、周囲の音の音量に対する閾値が設定される場合の携帯端末３５０の動作のフローチャートである。
【０２３９】
図２１に示すように、携帯端末３５０の制御部５６の閾値設定手段３５６ｄは、マイク３５１による周囲の音の音量の検出を開始する（Ｓ４１１）。
【０２４０】
次いで、閾値設定手段３５６ｄは、所定の時間が経過したと判断するまで、所定の時間が経過したか否かを判断する（Ｓ４１２）。この所定の時間は、１分間などの短時間や、８時間などの長時間を、操作部５１を介して運転者によって予め選択されることができる。
【０２４１】
閾値設定手段３５６ｄは、所定の時間が経過したとＳ４１２において判断すると、マイク３５１による周囲の音の音量の検出を終了する（Ｓ４１３）。
【０２４２】
次いで、閾値設定手段３５６ｄは、Ｓ４１１において検出を開始してＳ４１３において検出を終了した周囲の音の音量の平均値に基づいて、第１音量閾値および第２音量閾値を記憶部５５上の閾値情報３５５ｃに設定する（Ｓ４１４）。例えば、閾値設定手段３５６ｄは、Ｓ４１１において検出を開始してＳ４１３において検出を終了した周囲の音の音量の平均値を、予め設定されている数式に代入することによって第１音量閾値および第２音量閾値を算出する。
【０２４３】
閾値設定手段３５６ｄは、Ｓ４１４の処理の後、図２１に示す処理を終了する。
【０２４４】
運転者は、周囲の明るさに対する閾値を設定する場合、周囲の明るさに対する閾値の設定の開始を携帯端末３５０の操作部５１を介して携帯端末３５０に指示する。
【０２４５】
携帯端末３５０の制御部５６は、周囲の明るさに対する閾値の設定の開始が指示されると、図２２に示す処理を開始する。
【０２４６】
図２２は、周囲の明るさに対する閾値が設定される場合の携帯端末３５０の動作のフローチャートである。
【０２４７】
図２２に示すように、携帯端末３５０の制御部５６の閾値設定手段３５６ｄは、フォトダイオード３５２による周囲の明るさの検出を開始する（Ｓ４２１）。
【０２４８】
次いで、閾値設定手段３５６ｄは、所定の時間が経過したと判断するまで、所定の時間が経過したか否かを判断する（Ｓ４２２）。この所定の時間は、１分間などの短時間や、８時間などの長時間を、操作部５１を介して運転者によって予め選択されることができる。
【０２４９】
閾値設定手段３５６ｄは、所定の時間が経過したとＳ４２２において判断すると、フォトダイオード３５２による周囲の明るさの検出を終了する（Ｓ４２３）。
【０２５０】
次いで、閾値設定手段３５６ｄは、Ｓ４２１において検出を開始してＳ４２３において検出を終了した周囲の明るさの平均値に基づいて、第１明るさ閾値および第２明るさ閾値を記憶部５５上の閾値情報３５５ｃに設定する（Ｓ４２４）。例えば、閾値設定手段３５６ｄは、Ｓ４２１において検出を開始してＳ４２３において検出を終了した周囲の明るさの平均値を、予め設定されている数式に代入することによって第１明るさ閾値および第２明るさ閾値を算出する。
【０２５１】
閾値設定手段３５６ｄは、Ｓ４２４の処理の後、図２２に示す処理を終了する。
【０２５２】
運転者は、運転者の寝返りの回数に対する閾値を設定する場合、運転者の寝返りの回数に対する閾値の設定の開始を携帯端末３５０の操作部５１を介して携帯端末３５０に指示する。
【０２５３】
携帯端末３５０の制御部５６は、運転者の寝返りの回数に対する閾値の設定の開始が指示されると、図２３に示す処理を開始する。
【０２５４】
図２３は、運転者の寝返りの回数に対する閾値が設定される場合の携帯端末３５０の動作のフローチャートである。
【０２５５】
図２３に示すように、携帯端末３５０の制御部５６の閾値設定手段３５６ｄは、３軸加速度センサー３５３および寝返り回数測定手段３５６ｂによる寝返りの回数の測定を開始する（Ｓ４３１）。
【０２５６】
次いで、閾値設定手段３５６ｄは、所定の時間が経過したと判断するまで、所定の時間が経過したか否かを判断する（Ｓ４３２）。この所定の時間は、８時間などの長時間を、操作部５１を介して運転者によって予め選択されることができる。
【０２５７】
閾値設定手段３５６ｄは、所定の時間が経過したとＳ４３２において判断すると、３軸加速度センサー３５３および寝返り回数測定手段３５６ｂによる寝返りの回数の測定を終了する（Ｓ４３３）。
【０２５８】
次いで、閾値設定手段３５６ｄは、Ｓ４３１において測定を開始してＳ４３３において測定を終了した寝返りの回数を測定時間で割った回数、すなわち、１時間当たりの寝返りの回数に基づいて、第１寝返り回数閾値、第２寝返り回数閾値、第３寝返り回数閾値および第４寝返り回数閾値を記憶部５５上の閾値情報３５５ｃに設定する（Ｓ４３４）。例えば、閾値設定手段３５６ｄは、１時間当たりの寝返りの回数を、予め設定されている数式に代入することによって第１寝返り回数閾値、第２寝返り回数閾値、第３寝返り回数閾値および第４寝返り回数閾値を算出する。
【０２５９】
閾値設定手段３５６ｄは、Ｓ４３４の処理の後、図２３に示す処理を終了する。
【０２６０】
なお、以上においては、周囲の音の音量に対する閾値の設定と、周囲の明るさに対する閾値の設定と、運転者の寝返りの回数に対する閾値の設定とが別々に実行されているが、これらの２つ以上が同時に実行されるようになっていても良い。
【０２６１】
以上に説明したように、本実施の形態に係る被点呼運転者用装置は、睡眠中の運転者の周囲の音の音量に基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。なお、点呼執行者は、睡眠中の運転者の周囲の音の音量に基づいて、点呼時に運転者に対して睡眠環境の改善について助言を行うこともできる。ここで、睡眠中の人間の周囲の音の音量は、一般的に、２０ｄＢ以下であれば睡眠に適しており、４０ｄＢ以上では睡眠に適していないとされている。
【０２６２】
また、本実施の形態に係る被点呼運転者用装置は、睡眠中の運転者の周囲の明るさに基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。なお、点呼執行者は、睡眠中の運転者の周囲の明るさに基づいて、点呼時に運転者に対して睡眠環境の改善について助言を行うこともできる。ここで、睡眠中の人間の周囲の明るさは、一般的に、０．３ルクス程度が睡眠に最良であり、３０ルクス以上では睡眠に適していないとされている。
【０２６３】
また、本実施の形態に係る被点呼運転者用装置は、睡眠中の運転者の寝返りの回数に基づいて運転者の睡眠の質を点呼執行者に把握させることができるので、運転者の睡眠に関して睡眠時間のみを点呼執行者に把握させる構成と比較して、運転者による乗り物の運転業務に支障がないか否かを点呼執行者に更に適切に判断させることができる。ここで、睡眠中の運転者の寝返りの回数は、一般的に、８時間の睡眠に対して２０〜３０回程度が適量であるとされている。したがって、点呼執行者は、例えば、睡眠中の運転者の寝返りの回数が極端に少ない場合に、運転者の体に疲労が溜まっていると判断することができ、睡眠中の運転者の寝返りの回数が極端に多い場合に、運転者が深い眠りにつけていないと判断することができる。
【０２６４】
また、本実施の形態に係る被点呼運転者用装置は、睡眠中の運転者の周囲の音の音量に基づいた（Ｓ３７１、Ｓ３７２）運転者の睡眠の質をレベル（Ｓ３７７、Ｓ３７８、Ｓ３７９）によって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【０２６５】
また、本実施の形態に係る被点呼運転者用装置は、睡眠中の運転者の周囲の明るさに基づいた（Ｓ３７３、Ｓ３７４）運転者の睡眠の質をレベル（Ｓ３７７、Ｓ３７８、Ｓ３７９）によって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【０２６６】
また、本実施の形態に係る被点呼運転者用装置は、睡眠中の運転者の寝返りの回数に基づいた（Ｓ３７５、Ｓ３７６）運転者の睡眠の質をレベル（Ｓ３７７、Ｓ３７８、Ｓ３７９）によって点呼執行者に容易に把握させることができるので、運転者の睡眠に関して睡眠時間のみを点呼執行者に把握させる構成と比較して、運転者による乗り物の運転業務に支障がないか否かを点呼執行者に更に適切に判断させることができる。
【０２６７】
また、本実施の形態に係る被点呼運転者用装置は、３軸加速度センサー３５３によって検出される振動の大きさおよび周期性に基づいて、運転者の寝返りによる振動と、運転者の呼吸による振動とを区別するので、睡眠中の運転者の寝返りの回数の測定の正確性を向上することができる。
【０２６８】
また、本実施の形態に係る被点呼運転者用装置は、無振動状態検出手段３５６ｃによる検出結果を点呼用情報２４ａに含んでいるので、睡眠中に発生するはずの呼吸、寝返りなどによる振動が無い状態の発生を点呼執行者に把握させることができる。したがって、本実施の形態に係る被点呼運転者用装置は、睡眠を偽装した睡眠時間の測定の発生を抑制することができる。
【０２６９】
また、本実施の形態に係る被点呼運転者用装置は、運転者の寝返りの回数の測定と、無振動の状態の検出とに同一の３軸加速度センサー３５３を使用するので、別々のセンサーを使用する構成と比較して、部品点数を低減することができる。
【０２７０】
また、本実施の形態に係る被点呼運転者用装置は、無振動状態検出手段３５６ｃによる検出結果として、無振動の状態が発生した時間を点呼用情報２４ａに含んでいるので、測定された睡眠時間のうち運転者が睡眠していない可能性がある時間を点呼執行者に把握させることができる。
【０２７１】
また、本実施の形態に係る被点呼運転者用装置は、マイク３５１によって検出された音量に基づいて第１音量閾値および第２音量閾値を設定する（Ｓ４１４）ので、運転者の実際の睡眠環境に応じた第１音量閾値および第２音量閾値を設定することができる。したがって、本実施の形態に係る被点呼運転者用装置は、運転者の睡眠の質のレベルを適切に判定することができる。例えば、本実施の形態に係る被点呼運転者用装置は、第１音量閾値および第２音量閾値の設定時に携帯端末３５０が理想的な睡眠環境や運転者の自宅における睡眠環境に置かれた場合、その睡眠環境に応じた第１音量閾値および第２音量閾値が設定されるので、理想的な睡眠環境や運転者の自宅における睡眠環境を基準として、外出先の睡眠環境における運転者の睡眠の質のレベルを適切に判定することができる。
【０２７２】
また、本実施の形態に係る被点呼運転者用装置は、フォトダイオード３５２によって検出された明るさに基づいて第１明るさ閾値および第２明るさ閾値を設定する（Ｓ４２４）ので、運転者の実際の睡眠環境に応じた第１明るさ閾値および第２明るさ閾値を設定することができる。したがって、本実施の形態に係る被点呼運転者用装置は、運転者の睡眠の質のレベルを適切に判定することができる。例えば、本実施の形態に係る被点呼運転者用装置は、第１明るさ閾値および第２明るさ閾値の設定時に携帯端末３５０が理想的な睡眠環境や運転者の自宅における睡眠環境に置かれた場合、その睡眠環境に応じた第１明るさ閾値および第２明るさ閾値が設定されるので、理想的な睡眠環境や運転者の自宅における睡眠環境を基準として、外出先の睡眠環境における運転者の睡眠の質のレベルを適切に判定することができる。
【０２７３】
また、本実施の形態に係る被点呼運転者用装置は、３軸加速度センサー３５３によって検出された振動に基づいて測定される運転者の寝返りの回数に基づいて第１寝返り回数閾値、第２寝返り回数閾値、第３寝返り回数閾値および第４寝返り回数閾値を設定する（Ｓ４３４）ので、運転者の実際の睡眠環境に応じた第１寝返り回数閾値、第２寝返り回数閾値、第３寝返り回数閾値および第４寝返り回数閾値を設定することができる。したがって、本実施の形態に係る被点呼運転者用装置は、運転者の睡眠の質のレベルを適切に判定することができる。例えば、本実施の形態に係る被点呼運転者用装置は、第１寝返り回数閾値、第２寝返り回数閾値、第３寝返り回数閾値および第４寝返り回数閾値の設定時に携帯端末３５０が理想的な睡眠環境や運転者の自宅における睡眠環境に置かれた場合、その睡眠環境に応じた第１寝返り回数閾値、第２寝返り回数閾値、第３寝返り回数閾値および第４寝返り回数閾値が設定されるので、理想的な睡眠環境や運転者の自宅における睡眠環境を基準として、外出先の睡眠環境における運転者の睡眠の質のレベルを適切に判定することができる。
【０２７４】
なお、本実施の形態に係る被点呼運転者用装置は、本実施の形態において、携帯端末３５０にマイク３５１を備えている。しかしながら、本実施の形態に係る被点呼運転者用装置は、アルコール測定端末１４０にマイクを備えていても良い。
【０２７５】
また、本実施の形態に係る被点呼運転者用装置は、本実施の形態において、携帯端末３５０にフォトダイオード３５２を備えている。しかしながら、本実施の形態に係る被点呼運転者用装置は、アルコール測定端末１４０にフォトダイオードを備えていても良い。
【０２７６】
本発明の照度センサーは、本実施の形態において、フォトダイオードによって実現されている。しかしながら、本発明の照度センサーは、周囲の明るさを検出することができる構成であれば、フォトダイオード以外の構成によって実現されていても良い。
【０２７７】
例えば、本発明の照度センサーは、図２４に示すように、ＣＣＤ（Ｃｈａｒｇｅ  Ｃｏｕｐｌｅｄ  Ｄｅｖｉｃｅ）イメージセンサなどのカメラ３５４と、カメラ３５４によって撮影された画像に基づいて周囲の明るさを取得する明るさ取得手段３５６ｅとによって実現されても良い。明るさ取得手段３５６ｅは、制御部５６が睡眠時間測定プログラム３５５ａを実行することによって実現される機能である。明るさ取得手段３５６ｅは、カメラ３５４によって撮影された画像の全部の領域または一部の領域に含まれる全てのピクセルのＲＧＢのＲ値の平均値、Ｇ値の平均値およびＢ値の平均値を算出し、算出したＲ値の平均値、Ｇ値の平均値およびＢ値の平均値に基づいてルクスに変換することによって周囲の明るさを取得する。本実施の形態に係る被点呼運転者用装置は、図２４に示す構成である場合、カメラ３５４を備えていれば、専用の照度センサーを備えていなくても、睡眠中の運転者の周囲の明るさを検出することができる。
【０２７８】
本実施の形態に係る被点呼運転者用装置は、本実施の形態において、携帯端末３５０に３軸加速度センサー３５３を備えている。しかしながら、本実施の形態に係る被点呼運転者用装置は、アルコール測定端末１４０に３軸加速度センサーを備えていても良い。
【０２７９】
本発明の振動センサーは、本実施の形態において、３軸加速度センサーによって実現されている。しかしながら、本発明の振動センサーは、振動を検出することができるセンサーであれば、３軸加速度センサー以外のセンサーによって実現されていても良い。
【０２８０】
本実施の形態に係る被点呼運転者用装置は、運転者の睡眠時間を測定するための睡眠時間測定プログラム３５５ａを携帯端末３５０が実行するようになっている。しかしながら、被点呼運転者用装置は、第１の実施の形態に係る被点呼運転者用装置３０（図４参照。）と同様に、運転者の睡眠時間を測定するための睡眠時間測定プログラムをアルコール測定端末１４０が実行するようになっていても良い。
【０２８１】
本実施の形態に係る被点呼運転者用装置は、第３の実施の形態に係る被点呼運転者用装置と同様に、睡眠時間の測定の最中に、所定の移動があったことを判断した場合、この測定を終了するようになっていても良い。
【０２８２】
なお、上述の各実施の形態における点呼は、点呼執行者と運転者とが電話で会話しながら実行する電話点呼である。しかしながら、本発明は、点呼執行者と運転者とが実際に顔を合わせながら実行する対面点呼、点呼執行者と運転者とがネットワーク上の情報端末の映像において顔を合わせながら実行するＩＴ（Ｉｎｆｏｒｍａｔｉｏｎ  Ｔｅｃｈｎｏｌｏｇｙ）点呼など、電話点呼以外の点呼にも適用されることができる。
【０２８３】
また、上述の各実施の形態においては、点呼執行者用装置と、被点呼運転者用装置とが互いに離れた場所で使用されることが前提となっているが、少なくとも被点呼運転者用装置から点呼執行者用装置に点呼用情報を送信する時点で、点呼執行者用装置と、被点呼運転者用装置とが互いに近い場所で使用されるようになっていても良い。
【０２８４】
例えば、運行距離が短い路線バスなどの事業用の車両の運転者によって被点呼運転者用装置が使用され、被点呼運転者用装置の携帯端末が運転者によって携帯され、点呼執行者用装置と、被点呼運転者用装置のアルコール測定端末とが点呼執行者が居る営業所に設置され、少なくとも携帯端末から点呼執行者用装置に点呼用情報を送信する時点で、点呼執行者用装置と、被点呼運転者用装置とが互いに同一の営業所で使用される構成であっても良い。ここで、携帯端末と、点呼執行者用装置との接続方法の例としては、ＵＳＢ（Ｕｎｉｖｅｒｓａｌ  Ｓｅｒｉａｌ  Ｂｕｓ）接続などの物理的接続と、Ｗｉ−Ｆｉ（登録商標）、Ｂｌｕｅｔｏｏｔｈ（登録商標）などの短距離無線通信と、赤外線通信、１次元バーコード、２次元バーコードなどの近接非接触通信とがある。なお、近接非接触通信の場合、携帯端末から点呼執行者用装置への片方向通信になる。この構成の場合、運転者は、運転者自身の携帯端末によって睡眠時間を測定する。そして、運転者は、営業所に設置されているアルコール測定端末に運転者自身の携帯端末を接続した後、運転者自身の呼気に含まれるアルコールの濃度を点呼執行者の目の前でアルコール測定端末によって測定する。アルコール測定端末によって測定されたアルコールの濃度は、アルコール測定端末から携帯端末に送信されて、携帯端末の記憶部に記憶される。そして、運転者は、運転者自身の携帯端末を点呼執行者用装置に接続し、携帯端末の記憶部に記憶されているアルコールの濃度、運転者の睡眠時間、睡眠時間の開始時刻および終了時刻などを含んでいる点呼用情報を携帯端末から点呼執行者用装置に送信させた後、点呼執行者による対面点呼を受ける。点呼システムは、点呼執行者用装置と、被点呼運転者用装置とが互いに近い場所で通信するようになっている場合、インターネットを介した通信のように通信インフラ費が必要である通信が不要であるので、低コストで実現されることが可能である。
【０２８５】
また、上述の各実施の形態において、被点呼運転者用装置は、アルコール測定端末および携帯端末という２つの装置によって構成されている。しかしながら、被点呼運転者用装置は、アルコール測定端末および携帯端末を統合した１つの装置によって構成されていても良い。
【符号の説明】
【０２８６】
１０  点呼システム
２０  点呼執行者用装置
２４ａ  点呼用情報
３０  被点呼運転者用装置
４１  操作部
４３  アルコール濃度測定部
４７ａ  睡眠時間測定手段
４７ｂ  設定時間通知手段
５１  操作部
５６ａ  点呼用情報送信手段
１５６ａ  睡眠時間測定手段
１５６ｂ  設定時間通知手段
２５１  ＧＰＳユニット（現在位置取得手段）
３５１  マイク
３５２  フォトダイオード（照度センサー）
３５３  ３軸加速度センサー（振動センサー）
３５４  カメラ（照度センサー）
３５６ａ  睡眠質判定手段
３５６ｂ  寝返り回数測定手段
３５６ｃ  無振動状態検出手段
３５６ｄ  閾値設定手段
３５６ｅ  明るさ取得手段（照度センサー）
【図１】
2014032572.tif 000003
【図２】
2014032572.tif 000004
【図３】
2014032572.tif 000005
【図４】
2014032572.tif 000006
【図５】
2014032572.tif 000007
【図６】
2014032572.tif 000008
【図７】
2014032572.tif 000009
【図８】
2014032572.tif 000010
【図９】
2014032572.tif 000011
【図１０】
2014032572.tif 000012
【図１１】
2014032572.tif 000013
【図１２】
2014032572.tif 000014
【図１３】
2014032572.tif 000015
【図１４】
2014032572.tif 000016
【図１５】
2014032572.tif 000017
【図１６】
2014032572.tif 000018
【図１７】
2014032572.tif 000019
【図１８】
2014032572.tif 000020
【図１９】
2014032572.tif 000021
【図２０】
2014032572.tif 000022
【図２１】
2014032572.tif 000023
【図２２】
2014032572.tif 000024
【図２３】
2014032572.tif 000025
【図２４】
2014032572.tif 000026